(57)【要約】      （修正有）【課題】効率良く木材の曲面を形成することができる木材の曲げ加工工具を提供する。【解決手段】異なる曲率の面を備える金属柱１０と金属柱１０を載置する台座２０とからなり、金属柱１０にヒーターを内蔵し高熱になった金属柱１０の曲面部に湿らせた木材を押しあてることにより木材の曲げ加工を行う工具であって、台座２０上に、金属柱１０を固定した回転テーブル３０を設け金属柱１０の曲面を好みの位置に回転移動させる木材の曲げ加工工具。【選択図】図１
2010224072.tif 000002
【特許請求の範囲】
【請求項１】
異なる曲率の面を備える金属柱と金属柱を載置する台座とからなり、前記金属柱にヒーターを内蔵し高熱になった金属柱の曲面部に湿らせた木材を押しあてることにより木材の曲げ加工を行う工具であって、前記台座上に、前記金属柱を固定した回転テーブルを設け前記金属柱の曲面を好みの位置に回転移動させることを特徴とする木材の曲げ加工工具。
【請求項２】
前記回転テーブルは、前記金属柱に内蔵されたヒーターの外部配線が前記金属柱の回転により過度に捻られないように３６０度以上回転しないようなストッパーを設けたことを特徴とする請求項１記載の木材の曲げ加工工具。
【請求項３】
前記回転テーブルは、木材の曲げ加工時に不用意に前記金属柱が回転しないように回転を固定する固定手段を設けたことを特徴とする請求項１記載の木材の曲げ加工工具。
【発明の詳細な説明】
【技術分野】
【０００１】
本発明は、木材の曲面を形成する木材の曲げ加工工具に係り、詳しくはギターボディの側板を加工する木材の曲げ加工工具に関する。
【背景技術】
【０００２】
一般的に、木材の曲げ加工は、木材に水分を含ませて高熱にし圧力を加えることによって加工することができる。楽器の製作にはさまざまな曲率で木材を曲げ加工する必要があり、以下、ギターを例にして説明する。
【０００３】
ギター１００は、図５に示すように、音量の増幅を目的とした胴（ボディー）１１０と、音程のコントロールを容易にする目的とした棹（ネック）１２０を持つ。代表的なボディー１１０は、図６に示すように、木製であり、表板１１１、裏板１１２、及び側面板１１３により箱状に形成されている。また、内部は空洞となっており、弦の振動がその空洞内で共振して増幅される。
【０００４】
表板１１１は、表面形状が略瓢箪形状の薄板である。裏板１１２は、表板と同様に表面形状が略瓢箪形状の薄板である。側面板１１３は、略長方形の薄板を、表板１１１及び裏板１１２の周縁に沿って曲げることにより形成され、ボディーの外周側面を構成している。側面板１１３を表板１１１及び裏板１１２の周縁に沿って略瓢箪形状に曲げるにあたり、側面板１１３を煮沸させたり蒸煮させて含水率を上げ、ベンディングアイロンと呼ばれる工具で熱を加えながら表板１１１及び裏板１１２の周縁に沿った略瓢箪形状に曲げ、その後、型枠等に入れて固定した状態で水分を蒸発させることにより製造される（特許文献１）。
【０００５】
ベンディングアイロン１３０は、図７に示すように、ヒーターが内蔵された金属円柱１３１と金属円柱を固定する台座１３２とから構成され、スイッチ１３３によりヒーターに通電して、ベンディングアイロン１３０の高熱になった金属円柱１３１の曲面部に湿らせた木板を押しあてることにより木板の曲げ加工を行うものである。
【先行技術文献】
【特許文献】
【０００６】
【特許文献１】特開２００７−５２１９６号公報
【発明の概要】
【発明が解決しようとする課題】
【０００７】
通常この金属円柱は単なる円柱ではなく異なる曲率の面を備えることによりさまざまな曲率で木材を曲げることができる。使用者は目的に見合う曲面を選び木材を押し当てて作業を行うが、金属円柱は台座に固定されているため作業のしやすい位置に望む曲面を持ってくるにはベンディングアイロン本体をその都度回転させて設置し直さなくてはならないという問題があった。
【０００８】
本発明は、上記のような問題点に鑑みてなされたもので、金属円柱が固定される台座を回転テーブル上に回転自在に設置することにより、効率良く木材の曲面を形成することができる木材の曲げ加工工具を提供することを目的とする。
【課題を解決するための手段】
【０００９】
上記目的を達成するため、請求項１の木材の曲げ加工工具は、異なる曲率の面を備える金属柱と金属柱を載置する台座とからなり、金属柱にヒーターを内蔵し高熱になった金属柱の曲面部に湿らせた木材を押しあてることにより木材の曲げ加工を行う工具であって、台座上に、金属柱を固定した回転テーブルを設け金属柱の曲面を好みの位置に回転移動させることを特徴とするものである。
【００１０】
また、請求項２の木材の曲げ加工工具は、請求項１記載の木材の曲げ加工工具であって、回転テーブルは、金属柱に内蔵されたヒーターの外部配線が金属柱の回転により過度に捻られないように３６０度以上回転しないようなストッパーを設けたことを特徴とするものである。
【００１１】
また、請求項３の木材の曲げ加工工具は、請求項１記載の木材の曲げ加工工具であって、回転テーブルは、木材の曲げ加工時に不用意に金属柱が回転しないように回転を固定する固定手段を設けたことを特徴とするものである。
【発明の効果】
【００１２】
請求項１記載の木材の曲げ加工工具によれば、異なる曲率の面を備える金属柱と金属柱を載置する台座とからなり、金属柱にヒーターを内蔵し高熱になった金属柱の曲面部に湿らせた木材を押しあてることにより木材の曲げ加工を行う工具であって、台座上に、金属柱を固定した回転テーブルを設け金属柱の曲面を好みの位置に回転移動させることにより、効率良く木材の曲面を形成することができる。
【００１３】
請求項２記載の木材の曲げ加工工具によれば、回転テーブルは、３６０度以上回転しないようなストッパーを設けたので、金属柱に内蔵されたヒーターの外部配線が金属柱の回転により過度に捻られないようにすることができる。
【００１４】
請求項３記載の木材の曲げ加工工具によれば、回転テーブルは、金属柱の回転を固定する固定手段を設けたので、木材の曲げ加工時に不用意に金属柱が回転しないようにすることができる。
【図面の簡単な説明】
【００１５】
【図１】本発明の木材の曲げ加工工具の一実施形態を示す斜視図である。
【図２】同、図１の要部拡大図である。
【図３】同、図１の要部拡大図である。
【図４】同、図１の使用状態を示す説明図である。
【図５】ギターの全体図である。
【図６】ギターボディの分解斜視図である。
【図７】従来のベンディングアイロンを示す斜視図である。
【発明を実施するための形態】
【実施例】
【００１６】
以下、本発明による木材の曲げ加工工具の実施の形態を、ギターを一例にして、図面を参照しながら具体的に説明する。前述したように、ギターは、胴（ボディー）と、棹（ネック）とからなり、代表的なボディーは、表板、裏板、及び側面板により略瓢箪形状に形成されている。側面板を表板及び裏板の周縁に沿って略瓢箪形状に曲げるには、図１に示すような、ベンディングアイロンと呼ばれる曲げ加工工具を用いている。
【００１７】
図１において、１０は内部にヒーターを内蔵する金属柱で、さまざまな曲率で木材を曲げることができるために、異なる曲率の面を備えている。２０は金属柱１０を載置する台座で、台座上に金属柱１０を固定した回転テーブル３０を設ける。４０は台座２０を設置する固定台で立方体形状をしている。５０は木材の曲げ加工時に不用意に金属柱１０が回転しないように回転を固定する固定手段で、図３に示すように、螺子５１とハンドル５２とからなる。
【００１８】
金属柱１０に内蔵されるヒーターはサーモスタットにより２２０℃±５℃の一定温度の高熱に熱せられる。ヒーター及びサーモスタットに通電する外部配線６１、６２は、図２に示すように、ベンディングアイロンの下面からヒーター及びサーモスタットに接続されている。
【００１９】
７０は金属柱１０に内蔵されたヒーター及びサーモスタットに通電する外部配線６１、６２が金属柱１０の回転により過度に捻られないように金属柱１０の回転を３６０度以上回転しないように設けたストッパーで、図２に示すように、回転テーブル３０の底に設けられたビス７１と固定台４０にネジ止めされた係止片７２とからなる。
【００２０】
次に、本発明によるベンディングアイロンを用いて、ギターの側面板を曲げ加工する方法について図１〜図４を用いて説明する。
【００２１】
先ず、前準備として、図４に示すように、作業台８０にベンディングアイロンを横に倒してクランプ８１で固定するとともに、木材の曲げ加工時に不用意に金属柱１０が回転しないようにハンドル５２により回転テーブル３０を台座２０に固定する。外部配線６１、６２からヒーター及びサーモスタットに通電し、金属柱１０を２２０℃の高温に熱する。なお、金属柱１０はサーモスタットにより２２０℃±５℃の一定温度に保たれる（図１）。
【００２２】
この前準備が整ったら、ベンディングアイロンの高熱になった金属柱１０の曲面部に水分を含ませて湿らせた木板９０を押しあてることによりギターの「くびれ」ている部分から曲げ加工する（図４）。
【００２３】
次に、別の曲げ角度で木板を曲げる場合、作業台８０にベンディングアイロンを横に倒してクランプ８１で固定したままの状態で、ハンドル５２を緩めて回転テーブル３０が回転できる状態にし、金属柱１０を望む曲面の位置まで回転させる（図３）。
【００２４】
また、金属柱１０を同じ方向に無制限に回転させると、ヒーター及びサーモスタットに通電する外部配線６１、６２が過度に捻られてしまうのを防止するため、ビス７１と係止片７２とからなるストッパー７０を設けた（図２）。
【００２５】
即ち、金属柱１０を３６０度以上回転しようとしてもビス７１の頭部７１ａが係止片７２に当たってそれ以上回転しないようになっている（図３）。なお、回転させるにあたっては、金属柱１０の上面に突出した回転バー１１に木片をかませて回転させれば、金属柱１０の高熱が手に伝わらず支障なく回転させることが出来る（図１、図４）。
【００２６】
望みの位置まで回転させたら、ハンドル５２により回転テーブル３０を台座２０に固定して、木材の曲げ加工時に不用意に金属柱１０が回転しないようにする（図３）。
【００２７】
なお、ベンディングアイロンを用いて曲げ加工する場合、図４に示すように、ベンディングアイロンを横に倒して作業台８０に固定してもよいが、ベンディングアイロンを立てたままで作業台８０に固定してもよい。
【００２８】
以上説明したように、回転テーブルを設けて金属柱の曲面を好みの位置に回転移動させるようにすれば、ベンディングアイロン本体をその都度回転させて設置し直すことなく効率良く木材の曲面を形成することができる。
【産業上の利用可能性】
【００２９】
本発明による木材の曲げ加工工具としてのベンディングアイロンはギターの側面板を曲げ加工するものであるが、ギターに限らず、ウクレレ、ヴァイオリン、チェロのような側面板を有する楽器の側面板の曲げ加工にも応用することが出来る。
【符号の説明】
【００３０】
１０  金属柱
２０  台座
３０  回転テーブル
４０  固定台
５０  固定手段
５１  螺子
５２  ハンドル
６１、６２  外部配線
７０  ストッパー
７１  ビス
７２  係止片
【図１】
2010224072.tif 000003
【図２】
2010224072.tif 000004
【図３】
2010224072.tif 000005
【図４】
2010224072.tif 000006
【図５】
2010224072.tif 000007
【図６】
2010224072.tif 000008
【図７】
2010224072.tif 000009